(57)【要約】【課題】形状が異なる雨樋や同一の雨樋でも複数の取り付け状態に対応できる雨樋支持具を提供することを課題とする。【解決手段】雨樋Ｇの開口部Ｇ１を挟む一端部と他端部とを支持する第１部材２と、前記雨樋Ｇの内面に当接可能であり、前記第１部材２に取り付けられた状態で回転可能であって、かつ、前記第１部材２に対して複数の向きで固定できる第２部材３と、を備えた雨樋支持具１である。【選択図】図６
2019100036.tif 000002
【特許請求の範囲】
【請求項１】
雨樋の開口部を挟む一端部と他端部とを支持する第１部材と、
前記雨樋の内面に当接可能であり、前記第１部材に取り付けられた状態で回転可能であって、かつ、前記第１部材に対して複数の向きで固定できる第２部材と、を備えた雨樋支持具。
【請求項２】
前記第１部材と前記第２部材のうち一方には穴部を備え、他方には前記穴部に入り込む軸部を備え、
前記穴部は、前記軸部に対して当接しつつ回転を許容する当接部と、前記軸部に対して嵌合により回転不能とする嵌合部とを備える、請求項１に記載の雨樋支持具。
【請求項３】
前記穴部は前記第１部材に形成され、中央穴と、前記中央穴に連通しており前記中央穴から径外方向に異なる角度で延びる複数の延長穴とを有し、
前記軸部は前記第２部材に形成され、前記当接部に当接する軸湾曲面と、前記軸湾曲面に隣接した一対の軸対向面とを有し、
前記軸部が前記中央穴に位置する場合、前記第２部材は前記第１部材に対して回転可能であって、
前記軸部が前記延長穴に位置する場合、前記第２部材は、前記軸対向面が前記延長穴の内面に当接することにより固定状態となる、請求項２に記載の雨樋支持具。
【請求項４】
前記第１部材における前記延長穴は、対向する一対の外対向面を有し、
前記一対の外対向面は、前記軸部が前記延長穴に位置する場合、前記第２部材における前記一対の軸対向面と当接する、請求項３に記載の雨樋支持具。
【請求項５】
支持対象である前記雨樋が、複数の方向を向くように使用可能なもので、横断面での内面形状が多角形形状であり、
前記第２部材の固定状態で前記第２部材の先端が、前記雨樋のうち下方かつ建築物等から遠い方の内面角部に当接可能に配置される、請求項１〜４のいずれかに記載の雨樋支持具。
【発明の詳細な説明】
【技術分野】
【０００１】
本発明は、雨樋を建築物等に固定する際に用いる雨樋支持具に関するものである。
【背景技術】
【０００２】
建築物の屋根等に落下した雨水を排出するために用いる雨樋（より詳しくは、屋根等の縁部に沿って横方向に延びる軒樋）を支持する雨樋支持具として、例えば特許文献１に記載のものがある。この雨樋支持具は、建築物等に固定された建築物側支持具に支持されて用いられ、雨樋において雨水を受けるための開口部を挟む一端部と他端部とを支持することで、建築物側支持具及び雨樋支持具を介して雨樋を建築物等に固定できる。
【先行技術文献】
【特許文献】
【０００３】
【特許文献１】特開２００２−２２７３６１号公報
【発明の概要】
【発明が解決しようとする課題】
【０００４】
ところで、雨樋には種々の形状がある。また、縦方向及び横方向等の複数の方向を向くように使用可能な雨樋もある。このように形状が異なる雨樋を支持したり、同一の雨樋でも複数の取り付け状態で支持したりできる雨樋支持具が求められていた。
【０００５】
そこで本発明は、形状が異なる雨樋や同一の雨樋でも複数の取り付け状態に対応できる雨樋支持具を提供することを課題とする。
【課題を解決するための手段】
【０００６】
本発明は、雨樋の開口部を挟む一端部と他端部とを支持する第１部材と、前記雨樋の内面に当接可能であり、前記第１部材に取り付けられた状態で回転可能であって、かつ、前記第１部材に対して複数の向きで固定できる第２部材と、を備えた雨樋支持具である。
【０００７】
この構成によると、第２部材の向きを回転により容易に変更でき、しかも、第２部材の向きを定めた後は容易に固定できる。
【０００８】
また、前記第１部材と前記第２部材のうち一方には穴部を備え、他方には前記穴部に入り込む軸部を備え、前記穴部は、前記軸部に対して当接しつつ回転を許容する当接部と、前記軸部に対して嵌合により回転不能とする嵌合部とを備えるものとできる。
【０００９】
この構成によると、当接部により第２部材をスムーズに回転させることができ、嵌合部により第２部材を確実に固定できる。
【００１０】
また、前記穴部は前記第１部材に形成され、中央穴と、前記中央穴に連通しており前記中央穴から径外方向に異なる角度で延びる複数の延長穴とを有し、前記軸部は前記第２部材に形成され、前記当接部に当接する軸湾曲面と、前記軸湾曲面に隣接した一対の軸対向面とを有し、前記軸部が前記中央穴に位置する場合、前記第２部材は前記第１部材に対して回転可能であって、前記軸部が前記延長穴に位置する場合、前記第２部材は、前記軸対向面が前記延長穴の内面に当接することにより固定状態となるものとできる。
【００１１】
この構成によると、簡易な構成でありながら第２部材を回転させて固定できる。
【００１２】
また、前記第１部材における前記延長穴は、対向する一対の外対向面を有し、前記一対の外対向面は、前記軸部が前記延長穴に位置する場合、前記第２部材における前記一対の軸対向面と当接するものとできる。
【００１３】
この構成によると、第１部材における外対向面と第２部材における軸対向面との当接により、第２部材を確実に固定できる。
【００１４】
また、支持対象である前記雨樋が、複数の方向を向くように使用可能なもので、横断面での内面形状が多角形形状であり、前記第２部材の固定状態で前記第２部材の先端が、前記雨樋のうち下方かつ建築物等から遠い方の内面角部に当接可能に配置されるものとできる。
【００１５】
この構成によると、複数の方向を向いて使用可能な雨樋に対し、雨樋の開口部を挟む一端部と他端部とを第１部材で支持し、雨樋のうち下方かつ建築物等から遠い方の内面角部を第２部材で支持できる。よって、少なくとも３点で雨樋を確実に支持できる。
【発明の効果】
【００１６】
本発明によると、第２部材の向きを回転により容易に変更でき、しかも、向きを定めた後は容易に固定できる。このため、形状が異なる雨樋や同一の雨樋でも複数の取り付け状態に対応できる。
【図面の簡単な説明】
【００１７】
【図１】本発明の一実施形態に係る雨樋支持具を建築物側支持具と共に示した斜視図であって、枝部が第１固定状態である場合を示す。
【図２】同雨樋支持具を建築物側支持具と共に示した斜視図であって、枝部が第２固定状態である場合を示す。
【図３】同雨樋支持具の本体部に形成された穴部を示す要部側面図である。
【図４】同雨樋支持具の枝部を示し、（Ａ）は全体を示す斜視図、（Ｂ）は軸部の縦断面図である。
【図５】同雨樋支持具の本体部に対する枝部の位置関係を示す要部縦断面図であり、（Ａ）は回転可能状態を示し、（Ｂ）は第１固定状態を示し、（Ｃ）は第２固定状態を示す。
【図６】同雨樋支持具の、枝部を第１固定状態とした場合の使用例を示す側面図であって、雨樋を二点鎖線で示す。
【図７】同雨樋支持具の、枝部を第２固定状態とした場合の使用例を示す側面図であって、雨樋を二点鎖線で示す。
【発明を実施するための形態】
【００１８】
次に、本発明につき、一実施形態を取り上げて説明を行う。なお、以下における方向の表現につき、上下方向については図１または図２に示した状態を基準とする。また、前後方向については、雨樋支持具１の使用時において、建築物等（図示しない）に近い方向（図１または図２における右方）を後方とし、建築物等から遠い方向（同左方）を前方とする。また、長手方向や幅方向は、各部材における方向を示す。
【００１９】
本実施形態の雨樋支持具１は、図１または図２に示すものであって、建築物側支持具Ｘと共に用いられる。この雨樋支持具１は、第１部材としての本体部２と、本体部２に取り付けられた第２部材としての枝部３とを備える。枝部３は基本的に本体部２に取り付けられた状態で使用される。このため、後述のように本体部２に対して枝部３の向きを変える際に、枝部３を一旦取り外す必要がない。よって、現場における使い勝手が良い。
【００２０】
本体部２は、図６または図７に示すように、雨樋Ｇ（二点鎖線で図示）の開口部Ｇ１を挟む一端部と他端部（本実施形態では前端部と後端部）とを支持する。枝部３は、雨樋支持具１に雨樋Ｇを取り付けた際、雨樋Ｇの内面に当接可能な位置に先端が位置する。また、枝部３は本体部２に取り付けられた状態で、図５（Ａ）に示す所定範囲を、方向３Ｒに回転可能な回転可能状態とできる。そして枝部３は、図５（Ｂ）に示す第１固定状態、または、図５（Ｃ）に示す第２固定状態のように、本体部２に対して複数の向きで固定できる。
【００２１】
本体部２は、水平部２１、前方部２２、後方部２３等を有する。本実施形態の本体部２は樹脂製であって、各部が一体に形成されている。ただし、本体部２の素材や構成はこれに限られない。また、本体部２の形状も本実施形態のものに限られず適宜変更できる。
【００２２】
水平部２１は取り付け対象物である建築物等への取り付け時に前後方向かつ水平方向に延びる部分である。水平部２１には前後方向に延びる長穴２１１が上下に貫通しており、この長穴２１１を介し、水平部２１に建築物側支持具Ｘの先端部に形成された接続部Ｘ２が固定される。長穴２１１では、建築物側支持具Ｘとの位置関係を調整することにより、建築物等に対する雨樋支持具１の前後方向の取り付け位置を調整できる。
【００２３】
ところで、建築物側支持具Ｘは後端部に取付板Ｘ１を有する。この取付板Ｘ１は、建築物等の壁面にビス止め等により固定される。また、建築物側支持具Ｘは前端部に接続部Ｘ２を有する。この接続部Ｘ２は、雨樋支持具１の本体部２における長穴２１１を貫通した状態でクランプを操作することにより雨樋支持具１を固定できる。
【００２４】
前方部２２は水平部２１の前端部から上方に向かって延びる部分である。前方部２２における上端部で雨樋Ｇを支持できる（図６または図７参照）。後方部２３は、水平部２１の後端部から上方に分岐して斜め後方に向かった後に下方に向かって延びる部分である。また水平部２１の後端部にて、後方部２３が分岐した部分よりも後方には爪部２１２が形成されている。この爪部２１２と後方部２３における下端部とにより雨樋Ｇを支持できる（図６または図７参照）。また、水平部２１の前端部からストッパー部２４が下方に延びている。ストッパー部２４の下端は、前方に向かうにつれ下降するような斜面が形成されている。このストッパー部２４の下端の斜面は、図２に示すように第２固定状態にある枝部３の側面に当接する。これにより、第２固定状態において枝部３が上方に移動したり撓んだりすることが規制される。
【００２５】
水平部２１でストッパー部２４の形成された部分よりも後方において、ブラケット部２５が下方に突出するように形成されている。このブラケット部２５は、水平部２１の幅方向に対向するように一対設けられた板状部分である。ブラケット部２５には厚み方向に貫通した穴部２６が形成されている。
【００２６】
穴部２６は、側面視で図３に示すような形状である。この穴部２６は、中央穴２６１と複数の延長穴２６２とを有する。本実施形態では延長穴２６２が２個形成されている。中央穴２６１は湾曲内面２６１１を有する。本実施形態の湾曲内面２６１１は、一定曲率の湾曲面とされている。この湾曲内面２６１１は、枝部３が有する軸部３１に対して当接しつつ回転（図５（Ａ）に示す方向３Ｒの回転）を許容する当接部として機能する。この当接部としての湾曲内面２６１１により、枝部３をスムーズに回転させることができる。
【００２７】
各延長穴２６２は、中央穴２６１に枝部３の軸部３１が移動可能なように連通しており、中央穴２６１から径外方向に異なる角度で延びている。本実施形態では、各延長穴２６２が直線状に延びる長穴であって、一方の延長穴２６２が、中央穴２６１の上方で上下方向に延びており、他方の延長穴２６２が、中央穴２６１の上方で斜め後方に延びている。各延長穴２６２は、内周面として、対向する一対の外対向面２６２１を有する。本実施形態では一対の外対向面２６２１は平行に対向しているが、角度をもって対向させることもできる。そして、２個の延長穴２６２は一部重なり合い、側面視で略Ｖ字状に形成されている。各外対向面２６２１は、枝部３の軸部３１に対して嵌合により回転不能とする嵌合部として機能する。この嵌合部としての各外対向面２６２１により、例えば図１または図２に示す状態で、枝部３を確実に固定できる。
【００２８】
枝部３は、例えば図４（Ａ）に示すような形状である。枝部３は全体が細長い板状であって、上端部において幅方向に突出した一対の軸部３１が設けられている。一対の軸部３１は、本体部２への取り付け時に、本体部２に形成された一対の穴部２６に入り込む部分である。また、枝部３の上端部において幅方向中央には、長手方向端縁から切り込まれた空間を有する形状の切込部３２が形成されている。この切込部３２により、一対の軸部３１を幅方向に近づく方向に変形させること、つまり、一対の軸部３１の幅方向寸法を短縮するように変形させることができる。これにより、枝部３の本体部２への取り付けや取り外しの際に、作業を容易にできる。
【００２９】
軸部３１の縦断面形状を図４（Ｂ）に示す。軸部３１は、本体部２における中央穴２６１の湾曲内面２６１１に当接する軸湾曲面３１１と、軸湾曲面３１１に隣接した一対の軸対向面３１２とを有する。各軸対向面３１２は平面とされている。軸湾曲面３１１の曲率は湾曲内面２６１１の曲率と略同一とされている。これにより、軸部３１が中央穴２６１に位置する場合、軸湾曲面３１１が湾曲内面２６１１に沿うようにして軸部３１が回転する。このため、図５（Ａ）に示すように、枝部３は本体部２に対して所定範囲で方向３Ｒに回転可能である。前記回転により枝部３の向きが定まった後は、軸部３１を延長穴２６２に差し込むように移動させる。この際、軸部３１の各軸対向面３１２が延長穴２６２の各外対向面２６２１と当接しつつ枝部３が移動することになるので、軸部３１を延長穴２６２の奥へスムーズに誘導できる。
【００３０】
そして、図５（Ｂ）（Ｃ）に示すように、軸部３１が延長穴２６２に位置した場合、各軸対向面３１２が延長穴２６２の内面に当接すること、具体的には、各軸対向面３１２が穴部２６における各外対向面２６２１と当接することにより、枝部３が固定状態となる。このような本実施形態における穴部２６と軸部３１との組み合わせによると、枝部３の向きを回転により容易に変更でき、しかも、枝部３の向きを定めた後は容易に固定できる。そして、簡易な構成でありながら枝部３を回転させて固定できる。
【００３１】
次に、本実施形態の雨樋支持具１の使用方法の一例について説明する。この例における雨樋支持具１の支持対象である雨樋Ｇは、例えば、複数の方向を向くように使用可能なもので、横断面での内面形状が多角形形状とされている。この例では縦長方向または横長方向での使用が可能である。
【００３２】
図６に示すように、雨樋Ｇを縦長方向で使用する場合には、図１に示すように枝部３が本体部２から下方に延びる第１固定状態として雨樋Ｇを取り付ける。また、図７に示すように、雨樋Ｇを横長方向で使用する場合には、図２に示すように枝部３が本体部２から下方かつ斜め前方に延びる第２固定状態として雨樋Ｇを取り付ける。
【００３３】
前記いずれの状態でも、枝部３の固定状態で枝部３の先端が、雨樋Ｇのうち下方かつ建築物等から遠い方の内面角部Ｇ２に当接可能に配置される。なお、図６または図７では、枝部３の先端と雨樋Ｇの内面角部Ｇ２との間が離れているが、枝部３の先端は、雨樋Ｇが撓んだ際には当接がなされる位置にある。
【００３４】
このように、複数の方向を向いて使用可能な雨樋Ｇに対し、雨樋Ｇの開口部Ｇ１を挟む一端部と他端部とを本体部２で支持し、雨樋Ｇのうち下方かつ建築物等から遠い方の内面角部Ｇ２を枝部３で支持できる。よって、少なくとも３点で雨樋Ｇを確実に支持できる。なお、枝部３を本体部２に対して回転させて固定させるのは、雨樋Ｇの取り付け前であっても後であってもよい。
【００３５】
以上、本発明の一実施形態について説明したが、本発明は前記実施形態に限定されるものではなく、本発明の要旨を逸脱しない範囲内において種々の変更を加えることができる。
【００３６】
例えば、第２部材は前記実施形態の枝部３のような形状でなくても、雨樋Ｇの内面に当接可能な形状であればどのような形状でもよい。
【００３７】
また、第１部材としての本体部２と第２部材としての枝部３との関係は、枝部３を本体部２に対して回転でき、回転後の状態で固定できるものであればよく、前記実施形態のように穴部２６と軸部３１との組み合わせに限定されない。例えば、前記実施形態における軸部３１の軸湾曲面３１１に嵌合用凹部を形成しておき、穴部２６に設けた嵌合用突起が嵌合用凹部に入ることにより、軸部３１の固定がなされるように構成することもできる。この嵌合用突起は、ばね等により突出方向に付勢されることができる。
【００３８】
また、本体部２と枝部３のうち一方に穴部２６を備え、他方に軸部３１を備えていればよく、前記実施形態とは備える凹凸の関係が逆であってもよい。
【符号の説明】
【００３９】
１          雨樋支持具
２          第１部材、本体部
２６        穴部
２６１      中央穴
２６１１    当接部、湾曲内面
２６２      延長穴
２６２１    延長穴の内面、嵌合部、外対向面
３          第２部材、枝部
３１        軸部
３１１      軸湾曲面
３１２      軸対向面
Ｇ          雨樋
Ｇ１        雨樋の開口部
【図１】
2019100036.tif 000003
【図２】
2019100036.tif 000004
【図３】
2019100036.tif 000005
【図４】
2019100036.tif 000006
【図５】
2019100036.tif 000007
【図６】
2019100036.tif 000008
【図７】
2019100036.tif 000009